【手続補正書】
【提出日】平成25年6月4日(2013.6.4)
【手続補正１】
【補正対象書類名】特許請求の範囲
【補正対象項目名】請求項１
【補正方法】変更
【補正の内容】
【請求項１】
複数種類の玄関先機能部をベースパネルに任意に組み合せて構成されるエントランスユニットであって、
該エントランスユニットは、前記各玄関先機能部に、さらにディスプレイ機能部を備えて構成されると共に、
該ディスプレイ機能部は、照明部の下面域となるベースパネルに開口部を形成し、該開口部の奥行き方向に形成される格納部と、該格納部内に着脱可能にセットされる所定のホルダを有する装飾物とを備え、
前記ホルダと共に格納部内にセットされた装飾物を、前記開口部からその外面側周縁空間に臨ませて膨出せしめ、前記照明部による照光演出を可能とすべく構成されていることを特徴とするエントランスユニット。
【手続補正２】
【補正対象書類名】特許請求の範囲
【補正対象項目名】請求項８
【補正方法】変更
【補正の内容】
【請求項８】
複数種類の玄関先機能部をベースパネルに任意に組み合せて構成されるエントランスユニットを、ドア枠として備えられ、またはドア枠内に備えられる袖部に装備されるエントランスユニットシステムであって、
前記玄関先機能部は、照明部にその光源としてＬＥＤ照明を備え、該照明部が配置された下面域となるベースパネルに開口部を形成し、該開口部の奥行き方向に形成される格納部と、該格納部内に着脱可能にセットされる所定のホルダに設けられた植物により形成される装飾物とから構成されるディスプレイ機能部を備えると共に、
前記ホルダと共に格納部内にセットされた装飾物を、
前記開口部からその外面側周縁空間に臨ませて膨出せしめ、前記照明部による照光演出と照射育成とを可能に構成し、
かつ、前記格納部の上方に、室内側からの水供給を行うよう設けられた給水容器から、給水管を介して前記ホルダ内に水補給することで育成可能に構成せしめたことを特徴とするエントランスユニットシステム。
【手続補正３】
【補正対象書類名】明細書
【補正対象項目名】０００５
【補正方法】変更
【補正の内容】
【０００５】
上記課題を解決するために本発明のエントランスユニットは、複数種類の玄関先機能部をベースパネルに任意に組み合せて構成されるエントランスユニットであって、該エントランスユニットは、前記各玄関先機能部に、さらにディスプレイ機能部を備えて構成されると共に、該ディスプレイ機能部は、照明部の下面域となるベースパネルに開口部を形成し、該開口部の奥行き方向に形成される格納部と、該格納部内に着脱可能にセットされる所定のホルダを有する装飾物とを備え、前記ホルダと共に格納部内にセットされた装飾物を、前記開口部からその外面側周縁空間に臨ませて膨出せしめ、前記照明部による照光演出を可能とすべく構成されていることを特徴とするものである。
また、上記課題を解決するために本発明のエントランスユニットシステムは、複数種類の玄関先機能部をベースパネルに任意に組み合せて構成されるエントランスユニットを、ドア枠として備えられ、またはドア枠内に備えられる袖部に装備されるエントランスユニットシステムであって、前記玄関先機能部は、照明部にその光源としてＬＥＤ照明を備え、該照明部が配置された下面域となるベースパネルに開口部を形成し、該開口部の奥行き方向に形成される格納部と、該格納部内に着脱可能にセットされる所定のホルダに設けられた植物により形成される装飾物とから構成されるディスプレイ機能部を備えると共に、前記ホルダと共に格納部内にセットされた装飾物を、前記開口部からその外面側周縁空間に臨ませて膨出せしめ、前記照明部による照光演出と照射育成とを可能に構成し、かつ、前記格納部の上方に、室内側からの水供給を行うよう設けられた給水容器から、給水管を介して前記ホルダ内に水補給することで育成可能に構成せしめたことを特徴とするものである。
【手続補正４】
【補正対象書類名】明細書
【補正対象項目名】００１０
【補正方法】変更
【補正の内容】
【００１０】
照明部１１は、外灯用光源としてＬＥＤ照明１１１が用いられ、ＬＥＤ照明１１１発光により玄関照明として機能するようになっており、ディスプレイ機能部１５は、この照明部１１の下面域となるベースパネル１０に開口部１５１を形成し、この開口部１５１の奥行き方向に形成される格納部１５２と、該格納部１５２のスペース内に着脱可能にセットされる所定のホルダ４１に設けられる装飾物４とを備え、ホルダ４１と共に格納部１５２内にセットされた装飾物４を、開口部１５１からその外面側周縁空間に臨ませて、或いは及ぶよう膨出させて、照明部１１に設けられた反射板（図示しない）を介して照光される光源により、昼夜を問わずその存在を認識させ、光と影による演出効果が発揮できるよう構成される。格納部１５２の内周面には、ベースパネル１０と同じ材質の人造大理石が用いられ、ベースパネル１０の化粧表面と開口部１５１から奥行き方向に一体感をもって立体的に構成される。
【手続補正５】
【補正対象書類名】明細書
【補正対象項目名】００１２
【補正方法】変更
【補正の内容】
【００１２】
本実施例における装飾物４は、ホルダ４１内に設けられる保水マット４２に植栽される植物４０により形成される。この保水マット４２に植栽される植物４０は、多種多様の草花などによる植栽パターンにより壁面に適用可能に造作された市販品であり、住居者の好みに応じて購入採用できる。また、格納部１５２の上方、即ち、袖部３１の内部となる格納部１５２の上面ブラケット板３１１に、底部側に給水管４３１を有した給水容器４３を載置して設け、給水管４３１の先端側を、格納部１５２の上方に穿設した挿入孔に挿通させ、ホルダ４１の上部両側を開口形成させた水受け部４１１に臨ませて配設してある。この様に構成すると、室内側から戸板３１２を開戸して、給水容器４３に給水することにより、給水管４３１を介して格納部１５２にセットされたホルダ４１内に供給して、植物４０を育成することができる。なお、袖壁面に取り付けした場合には、開口部１５１側からホルダ４１の水受け部４１１に直接給水すれば良く、装飾物４としては、造花、工芸品、絡繰り時計などの立体的な造形物や造作物であっても良い。
【手続補正６】
【補正対象書類名】明細書
【補正対象項目名】００１７
【補正方法】変更
【補正の内容】
【００１７】
叙述の如く構成された本発明の実施の形態において、玄関ドア２の袖部３１或いは袖壁面に装備されるエントランスユニット１を、照明部１１を備えたベースパネル１０に対して、表札部１２、インターホン部１３、新聞受け部１４等の各種玄関先機能部を任意に組み合せて構成されたものに、更にディスプレイ機能部１５を組み合せて構成するのであるが、ディスプレイ機能部１５は、照明部１１の下面域となるベースパネル１０に開口部１５１を形成し、該開口部１５１の奥行き方向に形成される格納部１５２と、該格納部１５２内に着脱可能にセットされる所定のホルダ４１を有する装飾物４とを備え、ホルダ４１と共に格納部内にセットされた装飾物４を、開口部１５１からその外面側周縁空間に臨ませて、或いは及ぶよう膨出せしめ、照明部１１による照光演出を可能とすべく構成されている。
【手続補正７】
【補正対象書類名】明細書
【補正対象項目名】００２３
【補正方法】変更
【補正の内容】
【００２３】
しかも、ベースパネル１０を、ドア枠３として備えられ、またはドア枠３内に備えられる袖部３１の袖パネル面として装備すれば、格納部１５２の上方には給水容器４３が設けられており、この給水容器４３内の水を、給水管４３１を介して格納部１５２内にセットされたホルダ４１内に供給して、保水マット４２に含水させ、植物４０を育成することができる。
これにより、ディスプレイ機能部１５に植物４０を採用した際に、開口部１５１からその外面側周縁空間に臨ませて、或いは及ぶよう膨出せしめた植物４０に対して、照明部１１のＬＥＤ照明１１１による照光演出と照射育成とを可能にし、かつ、給水管４３１を介してホルダ４１内に水補給することで植物４０の育成をも可能に構成されたエントランスユニットシステムを構築することができる。
さらに、袖部３１の室内側の裏面板となる戸板３１２が開閉可能に構成され、給水容器４３内への水供給作業が室内側から行えるよう構成されているので、踏み台などを持参してわざわざ屋外に出て給水作業を行う煩わしさが解消され、給水作業を何時でも安易に行うことができる。
【手続補正８】
【補正対象書類名】明細書
【補正対象項目名】００２５
【補正方法】変更
【補正の内容】
【００２５】
１      エントランスユニット
１０    ベースパネル
１１    照明部
１１１  ＬＥＤ照明
１２    表札部
１２ａ  室名札部
１２ｂ  室番号札部
１２１  表札面
１２２  折曲片
１３    インターホン部
１３１  インターホンベース
１３２  前パネル
１３３  ボタン操作用の孔
１３４  音声伝達用の孔
１４    新聞受け部
１４１  開口部
１４２  新聞受けバー
１５    ディスプレイ機能部
１５１  開口部
１５２  格納部
２      ドア
２１    ドアハンドル
３      ドア枠
３１    袖部
３１１  ブラケット板
３１２  戸板
４      装飾物
４０    植物
４１    ホルダ
４１１  水受け部
４２    保水マット
４３    給水容器
４３１  給水管
５１    フック片
５２    係止片